(57)【要約】      （修正有）【課題】果樹園や、畑等の土壌に掘った穴に定量の肥料を投入後、土を肥料の上に埋め戻す追肥作業を、植物の根を傷めずに実施可能にした追肥注入器を提供する。【解決手段】縦長状の外筒１と、該外筒１内に上下スライド可能に挿設された内筒２と、該内筒２内に上下スライド可能に挿設された押出棒３とを有し、上記内筒２の下方スライドを、最下状態での下端面の位置を上記外筒の下端面に近接させる様に規制し、上記外筒１の下端寄りの側部に肥料供給部を形成し、該肥料供給部に上記外筒１の側部に開口形成した肥料投入口４を有し、該肥料投入口４を内筒２の上方スライド過程で開口可能にし、上記押出棒３の下方スライドにより該押出棒３の下端部を内筒２の下方開口部より突出可能にする。外筒１が幅狭で根に当たる可能性が低くなり、更に外筒１の下端を斜切り形状にすれば、下端部が植物の根に当たっても根側が側方に避けて突き刺さっていって、根が傷まない。【選択図】図７
0003161734.tif 000002
【実用新案登録請求の範囲】
【請求項１】
縦長状の外筒と、該外筒内に上下スライド可能に挿設された、外筒より長い内筒と、該内筒内に上下スライド可能に挿設された、内筒より長い押出棒とを有し、上記内筒の下方スライドを、最下状態での下端面の位置を上記外筒の下端面に近接させる様に規制し、上記外筒の下端寄りの側部に肥料供給部を形成し、該肥料供給部に上記外筒の側部に開口形成した肥料投入口を有し、該肥料投入口を内筒の上方スライド過程で開口可能にし、上記押出棒の下方スライドにより該押出棒の下端部を内筒の下方開口部より突出可能にしたことを特徴とする追肥注入器。
【請求項２】
内外筒の下端を斜切り形状にしたことを特徴とする請求項１記載の追肥注入器。
【請求項３】
押出棒の下方スライド時に弾性変形する、押出棒の下方スライド可能な位置への支持部材を有することを特徴とする請求項１又は２記載の追肥注入器。
【考案の詳細な説明】
【技術分野】
【０００１】
本考案は、果樹園や、畑等の土壌に掘った穴に定量の肥料を投入後、土を肥料の上に埋め戻す追肥作業を、植物の根を傷めずに実施可能にした追肥注入器に関する。
【背景技術】
【０００２】
従来、追肥作業時に、一定量の肥料を投入する作業を穴掘り作業と同時に実施可能な器具として、柄部とこの柄部の下部に形成された掬部とからなるショベルスコップと、前記ショベルスコップ下部の背部に固定された定量追肥容器と、前記定量追肥容器の上部と作業員保持用の肥料貯留容器下部とを連通せしめてなる肥料移送管と、前記定量追肥容器内の上部び下部にそぞれ形成された上部可動開閉弁板と下部可動開閉弁板とを交互に開閉し得る牽引杆と、からなる定量追肥ショベルスコップ装置があり、この装置によれば、掬部を土壌に突き刺す作業、一旦突き刺したショベルスコップ前方方向に押動する作業によって、土壌にＶ字状の間隙を作り、該Ｖ字状の間隙に、牽引杆を牽引することによって一定量の肥料を注入した後、前方方向に押動したショベルスコップをそのまま抜きさることによって、前に無理押しされた土壌は押動の反作用として後方動して肥料に被さるため、前記の穴掘り作業及び追肥作業を一連の操作で短時間で行うことを可能にしている（例えば、特許文献１参照）。
【先行技術文献】
【特許文献】
【０００３】
【特許文献１】実用新案登録第３１４３９９３号公報
【考案の概要】
【考案が解決しようとする課題】
【０００４】
しかし、上記従来技術にあっては、確かに追肥作業の省力化が図られることになるが、土壌に突き刺す掬部が幅広で薄く鋭利なため、土壌中の根を切断してしまう可能性が非常に高いなど、解決せねばならない課題があった。
【課題を解決するための手段】
【０００５】
本考案は、上記従来技術に基づく、追肥作業時に植物の根を傷め易い課題に鑑み、縦長状の外筒と、該外筒内に上下スライド可能に挿設された、外筒より長い内筒と、該内筒内に上下スライド可能に挿設された、内筒より長い押出棒とを有し、上記内筒の下方スライドを、最下状態での下端面の位置を上記外筒の下端面に近接させる様に規制し、上記外筒の下端寄りの側部に肥料供給部を形成し、該肥料供給部に上記外筒の側部に開口形成した肥料投入口を有し、該肥料投入口を内筒の上方スライド過程で開口可能にし、上記押出棒の下方スライドにより該押出棒の下端部を内筒の下方開口部より突出可能にすることによって、外筒が幅狭になって根に当たる可能性が低くなる様にし、更に外筒の下端を斜切り形状にすることによって、先端が植物の根に当たっても根側が側方に避けて突き刺さっていって根を傷めない様にして、上記課題を解決する。
【考案の効果】
【０００６】
要するに本考案は、縦長状の外筒と、該外筒内に上下スライド可能に挿設された、外筒より長い内筒と、該内筒内に上下スライド可能に挿設された、内筒より長い押出棒とを有しているので、かかる追肥注入器の突刺し先端である下端幅、即ち外筒の下端幅を幅狭にすることが出来るため、土壌中の植物の根に外筒の下端が当たる可能性を低下させることが出来、而も鋭利でないため、根の切断を抑止することが出来、又上記内筒の下方スライドを、最下状態での下端面の位置を上記外筒の下端面に近接させる様に規制しているので、突刺し時に押出棒の下端を内筒内に位置させておけば、外筒で形成される穴内の土壌の一部の略全部を内筒内に納めることが出来るため、投入肥料上に被せる土壌量を充分に確保することが出来る。
そして、押出棒の下端を内筒内に位置させた状態で土壌に突き刺せば、内筒内における押出棒の下端より下方空間に土壌の一部が充填されるため、この土壌の一部を充填状態のまま内筒を押出棒と共に上方スライドさせることが出来、よって外筒内における上方スライドさせた内筒の下端より下方に肥料を充填する空間を形成することが出来る。
又、上記外筒の下端寄りの側部に肥料供給部を形成し、該肥料供給部に上記外筒の側部に開口形成した肥料投入口を有し、該肥料投入口を内筒の上方スライド過程で開口可能にしているので、内筒を上方スライドさせるだけで肥料投入口を開口させ上記肥料充填空間に肥料を自動投入することが出来、又上記押出棒の下方スライドにより該押出棒の下端部を内筒の下方開口部より突出可能にしたので、内筒を押出棒と共に下方スライドさせた後、押出棒を下方スライドさせれば、投入肥料上に内筒に充填状態の土壌の一部を押し出して被せることが出来、土壌の埋戻し作業の簡易化を図ることが出来。
よって、上記追肥注入器によれば、土壌への突刺し作業後、内筒及び押出棒を順次操作すれば、肥料投入作業及び投入肥料上に土壌を被せる作業を、根を傷めずに行えるため、追肥作業を植物育成阻害要因を派生させずに簡易化を図ることが出来る。
【０００７】
更に、内外筒の下端を斜切り形状にしたので、土壌への突刺し作業の簡易化を図ることが出来ると共に、外筒の下端が植物の根に当たっても根側が下端縁部に沿って側方に避けて突き刺さっていって根を傷めないため、植物育成阻害要因を確実に派生させずに追肥作業を行うことが出来る。
【０００８】
押出棒の下方スライド時に弾性変形する、押出棒の下方スライド可能な位置への支持部材を有しているので、押出棒下端を内筒内に位置させた状態で下方スライド可能に支持することが出来るため、押出棒を支えずに上記内筒内における押出棒の下端より下方に空間を確保して土壌への突刺し作業を行うことが出来、下方スライド後押出棒から手を離せば、支持部材の弾性復元力により押出棒を初期位置に自動復帰させることが出来る等その実用的効果甚だ大である。
【図面の簡単な説明】
【０００９】
【図１】本考案に係る追肥注入器の正面図である。
【図２】図１のＡ−Ａ断面の下端側の拡大図である。
【図３】図１のＡ−Ａ断面の上端側の拡大図である。
【図４】図１の追肥注入器の分解状態の断面図である。
【図５】図１の追肥注入器の使用時の３形態の違いを説明する断面図である。
【図６】本考案に係る追肥注入器による追肥作業の第１段階を示す要部拡大断面図である。
【図７】第２段階を示す要部拡大断面図である。
【図８】第３段階を示す要部拡大断面図である。
【図９】追肥作業後の土壌の要部拡大断面図である。
【考案を実施するための形態】
【００１０】
以下、本考案に係る追肥注入器を実施するための形態を図面に基づき説明する。
本考案に係る追肥注入器にあっては、基本的に、縦長状の外筒１と、該外筒１内に設定ストロークＳ１で上下スライド可能に挿設された、外筒１より長い内筒２と、該内筒２内に設定ストロークＳ２で上下スライド可能に挿設された、内筒２より長い押出棒３とを有し、望ましくは押出棒３の下方スライド時に弾性変形する、押出棒３の下方スライド可能な位置への支持部材を有し、上記外筒１の上方開口部より上記内筒２の上端部が、該内筒２の上方開口部より上記押出棒３の上端部が夫々突出し、上記内筒２の下方スライドを、最下状態での下端面の位置を上記外筒１の下端面に近接させる様に規制し、上記外筒１の下端寄りの側部に肥料供給部５を形成し、該肥料供給部５に上記外筒１の側部に開口形成した肥料投入口４を有し、該肥料投入口４を内筒２の上方スライド過程で開口可能にし、上記押出棒３の下方スライドにより該押出棒３の下端部を内筒２の下方開口部より突出可能にしている。
以下、具体的に説明する。
【００１１】
上記内外筒１、２及び押出棒３は、ステレス製とするのが好ましいが、その他の金属製としたり、プラスチック製としても良い。
【００１２】
上記外筒１にあっては、図１〜５に示す様に、上記肥料投入口４を正面側に形成し、下端を正面側より背面側へ下方傾斜する斜切り形状とし、背面側内の中間部に上記内筒２及び押出棒３のストッパー６を突設し、上記肥料供給部５は、外筒１の正面に形成された上記肥料投入口４と外筒１の正面側外面に設けた肥料ポケット4aとを有し、該肥料ポケット4a内の底部に上記肥料投入口４が位置している。
【００１３】
上記内筒２にあっては、図１〜５に示す様に、外径を上記外筒１の内径より若干小径にし、下端を正面側より背面側へ下方傾斜する斜切り形状とし、背面部に、内筒２の長手方向に長いガイドスリット７を形成し、該ガイドスリット７内に外筒１のストッパー６を挿入して、外筒１に対し内筒２を設定ストロークＳ１で上方スライド可能にし、内筒２内におけるガイドスリット７より上方に、上記押出棒３のストッパー８を設け、該ストッパー８は細軸体で、内筒２の正背面方向に架設している。
内筒２における外筒１からの突出部位の正面に、該内筒２に直交するハンドル９を設け、該ハンドル９の両端部を内筒２より突出させている。
そして、図５に示す様に、内筒２の初期状態、即ちガイドスリット７の上端部がストッパー６に当接した状態で、内筒２の下端が外筒１の下端に略揃う様に成っている。
【００１４】
上記押出棒３にあっては、図１〜５に示す様に、中空棒で、外径を上記内筒２の内径より若干小径にし、正背面部に、押出棒３の長手方向に長いガイドスリット10、10a を形成し、両方のガイドスリット10、10a に上記内筒２側のストッパー８を挿通させて、該ストッパー８が押出棒３を横貫状態にすると共に、背面側のガイドスリット10a に内に外筒１のストッパー６を挿入して、内筒２に対し押出棒３を設定ストロークＳ２でスライド可能にしている。
上記押出棒３内の上方部分に、押出棒３の下方スライド可能な位置への支持部材である圧縮バネ11を収容し、該圧縮バネ11の上端を押出棒３内に設けた押圧体12に固定し、該押圧体12細軸体で、押出棒３内に直径方向に架設され、圧縮バネ11の下端をガイドスリット10、10a の上端部より下方に位置させて、上記内筒２側のストッパー８に離間可能に当接させている。
そして、図５に示す様に、押出棒３の初期状態、即ち圧縮バネ11の下端がストッパー８に当接した状態で、ガイドスリット10、10a の上端部はストッパー８に当接せずに、押出棒３の下端が内筒２内に位置して、内筒２内における押出棒３の下端より下方空間に土壌が充填される様に成っており、押出棒３のガイドスリット10、10a の上端部がストッパー８に当接するまで、押出棒３を押し下げ圧縮バネ11を圧縮させると、押出棒３の下端部が内筒２の下方開口部より突出し、手を離すと、圧縮状態の圧縮バネ11の復元力により自動復帰する様に成っている。
尚、押出棒３は、ガイドスリット10、10a の下端部がストッパー６に当接するまで上方スライド可能であり、その際に圧縮バネ11の下端がストッパー８から離間する。
【００１５】
又、内筒２のガイドスリット７と押出棒３のガイドスリット10、10a は後者が長く、組付状態でのガイドスリット７の下端部に対しガイドスリット10、10a の下端部を同一レベル又は下方に位置させ、ガイドスリット７の下端部がストッパー６に当接するまでの上方スライド量を内筒２の設定ストロークＳ１とし、ガイドスリット10、10a の上端部をストッパー８より上方に位置させて、ガイドスリット10、10a の上端部がストッパー８に当接するまでの下方スライド量を押出棒３の設定ストロークＳ２とし、上記押圧体12はガイドスリット10、10a の上端部がストッパー８に当接した状態で、ストッパー８との間に最圧縮状態の圧縮バネ11が収容可能に配置されている。
【００１６】
次に、本考案に係る追肥注入器の作用について説明する。
先ず、第１段階として、図６に示す様に、肥料ポケット4a内に肥料Ｈを充填して、土壌Ｗに下端部をなるべくゆっくりと突き刺すと、土壌Ｗに穴Ｘが開き、内筒２内における押出棒３の下端より下方空間に土壌Ｗａが圧縮された状態で充填され、次に第２段階として、図７に示す様に、ハンドル９を持って内筒２を、ガイドスリット７の下端部がストッパー６に当接するまで上方スライドさせるが、上記土壌Ｗａは充填状態のままで、開口した肥料投入口４から外筒１内（穴Ｘ内）に、肥料ポケット4a内の肥料Ｈの一部が投入され、次に第３段階として、図８に示す様に、ハンドル９を持って内筒２を、ガイドスリット７の上端部がストッパー６に当接するまで下方スライドさせて肥料投入口４を閉口すると共に、投入された肥料Ｈａを圧縮し、その後押出棒３を、ガイドスリット10、10a の上端部がストッパー８に当接するまで押し下げ、下端部が内筒２の下方開口部より突出して、肥料Ｈａを更に圧縮しつつ穴Ｘの底部より更に深く埋め込むと共に、この肥料Ｈａの上を内筒２に充填状態の土壌Ｗａで蓋をし、最後段階として、押出棒３から手を離しハンドル９を持って内筒２を持ち上げ、ガイドスリット７の下端部がストッパー６に当接して外筒１も持ち上がって、穴Ｘから引き抜かれて、図９に示す様に追肥作業が完了し、必要に応じて、開口状態の穴Ｘを足で踏むなどして塞ぐ。
【００１７】
又、外筒１自体が幅狭であるため、根に当たる可能性が低く、而も下端形状が下端より上方へ徐々に幅及び厚さが大きくなる斜切り形状であるため、第１段階の突き刺し時に外筒１の下端部が植物に根に当たったとしても根自体が側方に避け、避けた隙間を通って外筒１が突き刺さっていくことになる。
【００１８】
尚、上記実施例にあっては、外筒１のストッパー６が内筒２のガイドスリット７と押出棒３のガイドスリット10a の両方に挿通状態であるが、内筒２のガイドスリット７だけに挿通状態であっても良く、その結果押出棒３のガイドスリット10、10a を設定ストロークＳ２だけスライド可能な長さにしても良い。
【００１９】
又、内筒２におけるストッパー８にあっては、細軸体で押出棒３を横貫状態であるが、図示しないが、上記ストッパー６と同様に、単に内筒内面に突設し、押出棒３に設けた１本のガイドスリットに挿通させても良く、この場合のストッパー８は、圧縮バネ11を圧縮させることが可能な突出長さを有している。
【００２０】
又、圧縮バネ11は、上端部を押圧体12に固定し、下端部をストッパー８に離間可能に当接させているが、少なくともどちらか一端部を押圧体12又はストッパー８に固定するか、両端部共に固定しなくても良い。
又、圧縮バネ11は押出棒３内に収容されているが、内筒２と押出棒３の隙間に配置しても良い。
【符号の説明】
【００２１】
１    外筒
２    内筒
３    押出棒
４    肥料投入口
５    肥料供給部
【図１】
0003161734.tif 000003
【図２】
0003161734.tif 000004
【図３】
0003161734.tif 000005
【図４】
0003161734.tif 000006
【図５】
0003161734.tif 000007
【図６】
0003161734.tif 000008
【図７】
0003161734.tif 000009
【図８】
0003161734.tif 000010
【図９】
0003161734.tif 000011